(57)【特許請求の範囲】
【請求項１】
多数のプログラム及びそれぞれのプログラムに関連したデータと前記データの処理方式情報を共にブロードキャスティングする段階と、
多数のプログラムのうち１つのプログラムである第１プログラムに関連した第１データを受信してデータサービスを行い、前記データサービスを行う間に前記第１データが前記第１プログラムとは異なる他のプログラムに関連した第２データに変更されて前記第１データをさらに受信できない場合、前記データサービスを中断させるエラー処理の処理方式として、複数の処理方式のうちからいずれかを選択し、選択した既定の処理方式で前記エラー処理を行う放送受信段階とを含むデジタル放送方法。
【請求項２】
前記放送受信段階のエラー処理は、
前記既定の処理方式が、
自動消滅の場合前記データサービスを自動で終了する自動消滅段階と、
通知及び消滅の場合前記データサービスが前記第２データに対するデータサービスに変更されることを視聴者に知らせ、前記第１データに対するデータサービスを終了する通知及び消滅段階と、
バッファサービスの場合バッファに予め貯蔵して置いた第１データの存否を判断し、存在する場合これを通して前記データサービスを行ない続け、そうでない場合には視聴者に前記データサービスの変更を知らせるバッファサービス段階とを含む請求項１に記載のデジタル放送方法。
【請求項３】
前記データサービスに対する前記処理方式の選択は、
前記データサービスの提供者が前記データサービスコンデンツを製作する時明示することを特徴とする請求項１に記載のデジタル放送方法。
【請求項４】
複数の放送プログラム及びこれに関連したデータを放送してデータサービスを行うデジタル放送システムにおいて、
前記複数の放送プログラムのうちの１つのプログラムである第１プログラムに対して前記データサービスが要請された場合、該第１プログラムに関連して受信された第１データを通してデータサービスを行う段階と、
前記データサービスを行う間に前記第１データが前記第１プログラムとは異なる他のプログラムに関連した第２データに変更されて前記第１データをさらに受信できない場合、前記データサービスを中断させるエラー処理の処理方式として、複数の処理方式のうちからいずれかを選択し、選択した既定の処理方式で前記エラー処理を行うエラー処理段階とを含むデジタル放送システムにおけるデータサービス処理方法。
【請求項５】
前記エラー処理段階は、
前記既定の処理方式が、
自動消滅の場合前記データサービスを自動で終了する自動消滅段階と、
通知及び消滅の場合前記データサービスが前記第２データに対するデータサービスに変更されることを視聴者に知らせ、前記第１データに対するデータサービスを終了する通知及び消滅段階と、
バッファサービスの場合バッファに予め貯蔵して置いた第１データの存否を判断し、存在する場合これを通して前記データサービスを行い続け、そうでない場合には視聴者に前記データサービスの変更を知らせるバッファサービス段階とを含む請求項４に記載のデジタル放送システムにおけるデータサービス処理方法。
【請求項６】
前記バッファサービス段階において、
前記データサービスの最終終了は前記視聴者の選択を通してなることを特徴とする請求項５に記載のデジタル放送システムにおけるデータサービス処理方法。
【請求項７】
前記データは、
MPEG-２ TSパケットにブロードキャスティングされることを特徴とする請求項４に記載のデジタル放送システムにおけるデータサービス処理方法。
【請求項８】
前記処理方式を示すためにデータサービスに関連したテーブルにデスクリプタを追加することを特徴とする請求項４に記載のデジタル放送システムにおけるデータサービス処理方法。
【請求項９】
前記処理方式を示すためにSDTの既存デスクリプタを拡張することを特徴とする請求項４に記載のデジタル放送システムにおけるデータサービス処理方法。
【請求項１０】
前記データサービスに対する前記処理方式選択は、
前記データサービスの提供者が前記データサービスコンデンツの製作時に明示することを特徴とする請求項８または９に記載のデジタル放送システムにおけるデータサービス処理方法。
【請求項１１】
前記データサービスは、
データカローセル方式で放送することを特徴とする請求項４に記載のデジタル放送システムにおけるデータサービス処理方法。
【請求項１２】
多数のプログラム及び前記それぞれのプログラムに関連したデータと前記データの処理方式情報を共に放送するデジタル放送装置と、
前記多数のプログラムのうちの１つのプログラムである第１プログラムに関連した第１データを受信してデータサービスを行い、前記データサービスを行う間前記第１データが前記第１プログラムとは異なる他のプログラムに関連した第２データに変更されて前記第１データから情報をさらに受信できない場合、前記データサービスを中断させるエラー処理の処理方式として、複数の処理方式のうちからいずれかを選択し、選択した既定の処理方式で前記エラー処理を行う放送受信装置を含むデジタル放送システム。
【請求項１３】
前記放送受信装置は、
前記プログラムに関連したデータサービスを要請するサービス要請部と、
現在処理中のプログラムである第１プログラムから他のプログラムである第２プログラムへの変更を要請するプログラム変更要請部と、
前記第１プログラムに関連した第１データを受信して前記サービス要請部の要請によってデータサービスを行い、前記データサービスを行う間前記プログラム変更要請部の要請によって前記第１プログラムから第２プログラムに変更されて前記第１データをさらに受信できない場合、前記データサービスを中断させるエラー処理の処理方式として、複数の処理方式のうちからいずれかを選択し、選択した既定の処理方式で前記エラー処理を行う処理部とを含む請求項１２に記載のデジタル放送システム。
【請求項１４】
前記処理部は、
前記既定の処理方式が、
自動消滅の場合前記データサービスを自動終了し、通知及び消滅の場合前記データサービスが前記第２データに対するデータサービスに変更されることを視聴者に知らせて前記第１データに対するデータサービスを終了し、バッファサービスの場合バッファに予め貯蔵して置いた第１データの存否を判断し、存在する場合これを通して前記データサービスを行い続け、そうでない場合には視聴者に前記データサービス変更を知らせることを特徴とする請求項１３に記載のデジタル放送システム。
【請求項１５】
前記処理方式を示すためにSDTの既存デスクリプタを拡張することを特徴とする請求項１４に記載のデジタル放送システム。
【請求項１６】
前記データサービスに対する前記処理方式の選択は、
前記データサービスの提供者が前記データサービスコンデンツを製作する時明示することを特徴とする請求項１４または１５に記載のデジタル放送システム。
【請求項１７】
前記データは、
データカローセル方式で放送されることを特徴とする請求項１２に記載のデジタル放送システム。
【請求項１８】
プログラムに関連したサービスデータを前記プログラムと共にデータパケット形態に放送するデジタル放送システムにおいて、
前記データパケットを入力されて特定のプログラムに対するオーディオ／ビデオデータ、そして前記サービスデータを抽出する逆多重化器と、
前記抽出された前記オーディオ／ビデオデータをデコーディングするオーディオ／ビデオデコーダと、
前記抽出されたサービスデータの出力を制御するデータ出力制御部と、
前記デコーディングされたオーディオ／ビデオデータと前記サービスデータを出力するオーディオ／ビデオ出力部と、
前記プログラムに関連したデータサービスを要請するサービス要請部と、
現在処理中のプログラムである第１プログラムから他のプログラムである第２プログラムへの変更を要請するプログラム変更要請部と、
前記第１プログラムに関連した第１サービスデータを抽出して前記サービス要請部の要請によってデータサービスを行い、前記データサービスを行う間前記プログラム変更要請部の要請によって前記第１プログラムから第２プログラムに変更されて前記第１サービスデータをさらに受信できない場合、前記データサービスを中断させるエラー処理の処理方式として、複数の処理方式のうちからいずれかを選択し、選択した既定の処理方式で前記エラー処理を行う処理部とを含むデジタル放送受信器。
【請求項１９】
前記処理部は、
前記既定の処理方式が、
自動消滅の場合前記データサービスを自動終了し、通知及び消滅の場合前記データサービスが前記第２データに対するデータサービスに変更されることを視聴者に知らせて前記第１データに対するデータサービスを終了し、バッファサービスの場合バッファに予め貯蔵して置いた第１データの存否を判断し、存在する場合これを通して前記データサービスを行い続け、そうでない場合には視聴者に前記データサービスの変更を知らせることを特徴とする請求項１８に記載のデジタル放送受信器。
【請求項２０】
前記データパケットは、
MPEG-２ TSパケットで伝送されることを特徴とする請求項１８に記載のデジタル放送受信器。
【請求項２１】
前記処理方式を示すために前記デジタル放送システムにおけるデータサービスに関連したテーブルにデスクリプタを追加することを特徴とする請求項１８に記載のデジタル放送受信器。
【請求項２２】
前記処理方式を示すためにSDTの既存のデスクリプタを拡張することを特徴とする請求項１８に記載のデジタル放送受信器。
【請求項２３】
前記データサービスに対する前記処理方式の選択は、
前記データサービスの提供者が前記データサービスコンデンツを製作する時明示することを特徴とする請求項２１または２２に記載のデジタル放送受信器。
【請求項２４】
前記逆多重化器から新たなサービスデータを抽出したことを前記ビデオ出力部の所定部にアイコンで知らせることを特徴とする請求項１８に記載のデジタル放送受信器。
【発明の詳細な説明】
【０００１】
【発明の属する技術分野】
本発明はデジタル放送システムに係り、特に放送プログラムに関連したデータをデータカローセル(data carousel)方式で伝送するデジタル放送において視聴者のデータサービス要請時点とデータカローセルの有効区間との間い不一致が発生する場合データの種類に応じてデータサービスの中断方式を異にするデジタル放送システム及びその制御方法に関する。
【０００２】
【従来の技術】
パソコンの発展で情報の処理速度が向上され、インターネットの拡散によって情報の伝達速度が向上されている。この過程で、一方はパソコンとテレビが両立するが、他方はパソコンとテレビとが統合される。パソコンとテレビの統合はパソコンにテレビ機能を付加するのと、テレビにパソコン機能を付加するのに推進される。既に、部分的に統合されている。即ち、インターネットテレビやパソコン用テレビ受信カードが開発されて使われている。しかし、まだ両メディアの長所を十分に生かしているとは見えない。
【０００３】
既存のアナログテレビに対する不満を解消するために開発されたデジタルテレビは、アナログテレビより多チャンネルで、きれいな画質を提供できるだけでなく、アナログテレビが提供できなかった多様な機能を提供する。特に、映像及び音声で構成される放送プログラムと共にマルチメディアデータを放送しうるデータ放送によりテレビを通して多様な形のマルチメディアデータサービスを提供可能になった。
【０００４】
即ち、デジタルテレビ技術の展開方向は現在の高画質、高音質の中心から多様なデータサービスを提供するための技術に移動しており、さらには一方的なサービスから両方向チャンネルを用いた対話形サービスに発展しつつある。
このようなデータ放送を通してなるサービスの類型は特定のプログラムと連結されたデータサービス、独自のデータサービス、両方向データサービス等に大別され、それぞれの特徴を説明すれば次の通りである。
【０００５】
まず、特定プログラムと連結されたデータサービスは現在の放送中のプログラムと関連している情報を放送信号(例えば、オーディオ信号、ビデオ信号等)と共に送るデータサービスを意味し、スポーツ中継と関連した情報(選手の履歴情報、用語、ゲーム規則、メインイベントの情報等)、ドラマ放送付加情報、そして現在進行中の広告付加情報などがその対象となる。
【０００６】
一方、独自のデータサービスは現在放送されるプログラムと関連しない独自の情報を放送信号と共に送った後、視聴者の要求がある時画面に示すデータサービスを意味し、リアルタイムニュース、天気予報、株価情報、ソフトウェアダウンロード、電子クーポン、ウェブコンデンツなどがその対象となる。このような独自のデータサービスは単純にテキストの形だけでなく、ハイパーテキスト、グラフィック、イメージ、アニメ、オーディオ／ビデオクリップ、そしてジャバアプレット(Java applet)のようなアプリケーションの使用が可能なのでマルチメディアを充実に活用する対話形サービスが可能である。例えば、バスケットボールを中継しながら、テレビ画面の一側には特定の選手の詳細な情報を示したり、その選手の過去の活躍場面をビデオクリップで提供しうる。
【０００７】
最後に、両方向データサービスは視聴者の入力が放送社に伝達され、これにより放送サービスを提供されるデータサービスを意味し、モデム、専用線などを通して両方向チャンネルを確保して両方向データサービスの受信を可能にした後、世論調査、人気歌謡のランキング投票、視聴率の調査、特定人物に対する人気投票、設問調査、ホームショッピングなどのサービスを提供されるだけでなく、外部の情報提供者を連結してさらに多様な対話形サービスを具現しうる。
【０００８】
このようなデータサービスのうち特定のプログラムと連結されたデータサービスと、独自のデータサービスは一般にデータ放送(data broadcast)のような単方向サービスを通して具現されているが、単方向データサービス中の任意の時点で対話形サービスを可能にするためい有効区間を有するデータを繰返して提供するデータカローセル(data carousel)方式がさらに使われている。
【０００９】
図１はデジタル放送受信器(例えば、デジタルテレビ)が放送局からプログラムＡとデータカローセル方式によってプログラムＡに関連したデータ（例えば、アプリケーション等）を受信することを例示する。図１に示されたようにデジタルテレビはプログラムＡに対するオーディオ／ビデオ信号を受信して出力する間にプログラムＡに関連したデータを所定の有効区間を有するデータカローセル単位で連続受信する。
【００１０】
このようなデータカローセル方式を通して対話形サービスを提供する場合には次のような問題点が存在する。
即ち、図２に示されたように、デジタルテレビはプログラムＡに対するオーディオ／ビデオデータを受信して出力しながらプログラムＡに関連したデータをデータカローセル方式で受信する。
【００１１】
この際、視聴者からプログラム変更要請がある場合、即ち、現在出力中のプログラムＡからプログラムＢに変更する場合、現在出力中のデータカローセルをどのように処理するか。即ち、図２においてＡ時点に視聴者がデータサービスを要請した場合、この要請に対するデータサービスを完全に行うためには図２のＢ区間（該当データカローセルの有効区間）だけの時間が必要であるが、プログラムの変更によって図２のＣ時点からデジタルテレビはプログラムＢに関するデータカローセルを受信することになるので、つまりデータサービス要請時点とデータカローセルの有効区間との不一致が発生する問題点がある。
【００１２】
例えば、視聴者がプログラムＡを視聴しながらプログラムＡに登場する主人公のプロフィールを要請してデータサービスを受けている間に視聴者がプログラムをプログラムＢに変更する場合、デジタルテレビはプログラムＡからプログラムＢに変更し、かつプログラムＢに関連したデータをデータカローセル方式で受信する。
【００１３】
従って、プログラム変更前に出力された主人公のプロフィールが完全に出力されない状態でデータカローセルが中断されることになる。
このようにデータサービス要請時点とデータカローセルの有効区間との不一致によるデータサービスの中断は避けにくい状況であるが、これに対する処理技術がほとんどないのが実情である。
【００１４】
【発明が解決しようとする課題】
従って、本発明の目的は、データサービス要請時点とデータカローセルの有効区間との不一致が発生する場合、視聴者の現在視聴中のデータカローセルの中断を予知可能にする装置及び方法を提供することにある。
【００１５】
【課題を解決するための手段】
前記目的を達成するための本発明の一側面によれば、多数のプログラム及びそれぞれのプログラムに関連したデータと前記データの処理方式情報を共にブロードキャスティングする段階と、多数のプログラムのうち第１プログラムに関連した第１データを受信してデータサービスを行い、前記データサービスを行う間に前記第１データが第２データに変更されて前記第１データをさらに受信できない場合、前記第１データに既定の処理方式によって前記データサービスの中断方式を別にしてエラーを処理する放送受信段階とを含むデジタル放送方法を提供する。
【００１６】
望ましくは、前記放送受信段階のエラー処理は、前記既定の処理方式が、自動消滅の場合前記データサービスを自動で終了する自動消滅段階と、通知及び消滅の場合前記データサービスが前記第２データに対するデータサービスに変更されることを視聴者に知らせ、前記第１データに対するデータサービスを終了する通知及び消滅段階と、バッファサービスの場合バッファに予め貯蔵して置いた第１データの存否を判断し、存在する場合これを通して前記データサービスを行ない続け、そうでない場合には視聴者に前記データサービスの変更を知らせるバッファサービス段階とを含む。
【００１７】
望ましくは、前記データサービスに対する前記処理方式の選択は、前記データサービスの提供者が前記データサービスコンデンツを製作する時明示する。
本発明の他の側面によれば、複数の放送プログラム及びこれに関連したデータを放送してデータサービスを行うデジタル放送システムにおいて、前記データサービスの要請された場合受信された第１データを通してデータサービスを行う段階と、前記データサービスを行う間に前記第１データが第２データに変更されて前記第１データをさらに受信できない場合、前記第１データに既定の処理方式によって前記データサービス中断方式を別にしてエラーを処理するエラー処理段階とを含むデジタル放送システムにおけるデータサービス処理方法を提供する。
【００１８】
望ましくは、前記エラー処理段階は、前記既定の処理方式が、自動消滅の場合前記データサービスを自動で終了する自動消滅段階と、通知及び消滅の場合前記データサービスが前記第２データに対するデータサービスに変更されることを視聴者に知らせ、前記第１データに対するデータを終了する通知及び消滅段階と、バッファサービスの場合バッファに予め貯蔵して置いた第１データの存否を判断し、存在する場合これを通して前記データサービスを行い続け、そうでない場合には視聴者に前記データサービスの変更を知らせるバッファサービス段階とを含む。
【００１９】
望ましくは、前記処理方式を示すためにデータサービスに関連したテーブルにデスクリプタを追加する。
望ましくは、前記処理方式を示すためにSDTの既存デスクリプタを拡張する。望ましくは、前記データサービスに対する前記処理方式選択は、データサービスの提供者が前記データサービスコンデンツの製作時に明示する。
望ましくは、前記データサービスはデータカローセル方式で放送する。
【００２０】
本発明のさらに他の側面によれば、多数のプログラム及び前記それぞれのプログラムに関連したデータと前記データの処理方式情報を共に放送するデジタル放送装置と、前記多数のプログラムのうち第１プログラムに関連した第１データを受信してデータサービスを行い、前記データサービスを行う間前記第１データが第２データに変更されて前記第１データから情報をさらに受信できない場合、前記第１データに既定の処理方式に従って前記データサービス中断方式を異にしてエラーを処理する放送受信装置を含むデジタル放送システムを提供する。
【００２１】
望ましくは、前記放送受信装置は、前記プログラムに関連したデータサービスを要請するサービス要請部と、現在の第１プログラムから他の第２プログラムへの変更を要請するプログラム変更要請部と、前記第１プログラムに関連した第１データを受信して前記サービス要請部の要請によってデータサービスを行い、前記データサービスを行う間前記プログラム変更要請部の要請によって前記第１プログラムから第２プログラムに変更されて前記第１データをさらに受信できない場合、前記第１データに既定の処理方式に従って前記データサービス中断方式を異にしてエラーを処理する処理部とを含む。
【００２２】
望ましくは、前記処理部は、前記既定の処理方式が、自動消滅の場合前記データサービスを自動終了し、通知及び消滅の場合前記データサービスが前記第２データに対するデータサービスに変更されることを視聴者に知らせて前記第１データに対するデータサービスを終了し、バッファサービスの場合バッファに予め貯蔵して置いた第１データの存否を判断し、存在する場合これを通して前記データサービスを行い続け、そうでない場合には視聴者に前記データサービス変更を知らせる。
【００２３】
本発明のさらに他の側面によれば、プログラムに関連したサービスデータを前記プログラムと共にデータパケット形態に放送するデジタル放送システムにおいて、前記データパケットを入力されて特定のプログラムに対するオーディオ／ビデオデータ、そして前記サービスデータを抽出する逆多重化器と、前記抽出された前記オーディオ／ビデオデータをデコーディングするオーディオ／ビデオデコーダと、前記抽出されたサービスデータの出力を制御するデータ出力制御部と、前記デコーディングされたオーディオ／ビデオデータと前記サービスデータを出力するオーディオ／ビデオ出力部と、前記プログラムに関連したデータサービスを要請するサービス要請部と、現在の第１プログラムから他の第２プログラムへの変更を要請するプログラム変更要請部と、前記第１プログラムに関連した第１サービスデータを抽出して前記サービス要請部の要請によってデータサービスを行い、前記データサービスを行う間前記プログラム変更要請部の要請によって前記第１プログラムから第２プログラムに変更されて前記第１サービスデータをさらい受信できない場合、前記第１サービスデータに既定の処理方式に従って前記データサービス中断方式を異にしてエラーを処理する処理部とを含むデジタル放送受信器を提供する。
望ましくは、前記データパケットは、ＭＰＥＧ−２ ＴＳパケットで伝送される。
【００２４】
【発明の実施の形態】
以下、添付した図面に基づき本発明の目的、特徴、そして長所等を詳しく説明する。
後述する用語は本発明における機能を考慮して定義された用語であって、これは当業者の慣習などによって他に指称できるので、本明細書の全般的な内容に基づいて解釈されるべきである。
【００２５】
まず、本発明に係るデジタル放送システムでは放送局からデジタルテレビに放送プログラム及びサービスデータを伝送するデータサービスプロトコールとしてMPEG-２ TS(Transport Stream)方式を使用しうる。
本発明の伝送方式として用いられるMPEG-２ TSの伝送ストリームのシンタックス(Syntax)と、その構成要素のTSパケットのシンタックスを図３に基づいて説明すれば次の通りである。
【００２６】
まず、伝送ストリームは多数の伝送ストリームパケット(即ち、TSパケット)で構成され、それぞれのTSパケットは１８８バイトで構成され、該当TSパケットに対する情報を提供するヘッダと実際のデータの記録されるペイロード（payload）とに大別される。
【００２７】
ヘッダはシンクバイト（sync byte）、伝送エラー表示子(transport error indicator)、ペイロード単位開始表示子(payload unit start indicator)、伝送優先順位(transport priority)、パケット識別子(PID;Packet Identification)、スクランブリング制御(scrambling control)、適応フィールド制御(adaptation field control)、連続性カウンター(continuity counter)、適応フィールド(adaptation field)毎に各々所定のビットが割当てられてTSパケットに対する関連情報を提供する。
【００２８】
一方、ペイロードはパケット化されたオーディオ／ビデオデータ及びサービスデータを含み、それぞれのパケット化されたオーディオ／ビデオ及びサービスデータは要素パケット識別子(elementary packet identifier;E_PID)で識別する。各放送局からオーディオデータ、ビデオデータ、そしてサービスデータは、図３に示されたMPEG-２ TSの伝送ストリームを通して要素パケット単位に各々多重化されてデジタル放送受信器に伝送される。
【００２９】
図４は放送局Ａ、放送局Ｂ、そして放送局Ｃから伝えられる伝送ストリームを例示するものであって、放送局ＡからプログラムＡとプログラムＢに対するそれぞれのオーディオデータとビデオデータ、そしてサービスデータが多重化されて伝送されることを示す。
【００３０】
この際、サービスデータは視聴者の要請によって対話式にサービスを提供するためのデータとアプリケーションとの相関性をデジタルテレビに知らせる情報を含み、ATSC(Advanced Television Systems Committee)データブロードキャスティングサービスではこのような情報がSDT(Service Description Table)に明記されている。一方、サービスデータはデータカローセル方式によって放送プログラムの有効期限の間に繰返して伝送される。
【００３１】
本発明に係るデータカローセル方式でデータを放送するデジタル放送システムにおけるデジタル放送受信器を図５に基づいて説明すれば次の通りである。
まず、チューナ５１０はチャンネル選択部５００を通して視聴者により放送局チャンネルが選択されると処理部５８０の制御によって特定放送局の伝送ストリームを選択して受信する。逆多重化器５２０は特定の放送局の伝送ストリームを入力されて特定のプログラムに対するオーディオ／ビデオデータ、そしてカローセル方式で伝送されるサービスデータを抽出してオーディオバッファ５３１、ビデオバッファ５３２、サービスデータバッファ５３３に各々臨時貯蔵する。オーディオ／ビデオデコーダ５４１、５４２は抽出されたオーディオ／ビデオデータをデコーディングしてオーディオ出力部５５１とビデオ出力部５２２を通して各々出力する。
【００３２】
データ出力制御部５４３は抽出されたサービスデータの出力を制御してオーディオ/ビデオ出力部５５１、５５２に出力する。
サービス要請部５６０は視聴者からプログラムに関連したデータサービスを要請されて処理部５８０に要請し、プログラム変更要請部５７０は視聴者からプログラム変更要求を入力されて処理部５８０に要請する。
【００３３】
一方、処理部５８０は第１プログラムに関連した第１データカローセルを抽出してサービス要請部５６０の要請によってデータサービスを行う。データサービスを行う間にプログラム変更要請部５７０の要請によって第１プログラムから第２プログラムに変更されて第１データカローセルから続けて情報を獲得できない場合、第１データカローセルに既定のエラー処理方式によってエラーを処理する。
【００３４】
エラー処理方式は自動消滅、通知及び消滅、そしてバッファサービスの３種がある。
処理部５８０は既定のエラー処理方式が自動消滅の場合データサービスを自動終了し、通知及び消滅の場合データサービスが第２データカローセルを行うためのデータサービスに変更されることを視聴者に知らせ、第１データカローセルに対したデータサービスを終了し、バッファサービスの場合バッファに予め貯蔵して置いた第１データカローセルの存否を判断し、存在する場合これを通してデータサービスを行い続け、そうでない場合には視聴者に前記データサービス変更を知らせる。
【００３５】
望ましくは、エラー処理方式を設定する方法はデータサービスに関連した他のテーブルにデスクリプタを追加したり、SDT(Service Description Table)の既存デスクリプタを拡張して提供しうる。
また、データサービス提供者によるデータサービスコンデンツの製作時、不一致状況が発生する場合自動消滅、通知及び消滅、バッファサービスのうち何れか１つで処理することを指定しうる。
【００３６】
本発明に係るデータカローセル方式でデータをブロードキャスティングするデジタル放送システムにおけるデータの処理方法を図６、図７乃至図１０に基づいて説明すれば次の通りである。
まず、処理部５８０はチューナ５１０を制御して特定放送局の伝送ストリームを逆多重化部５２０に入力させ、逆多重化部５２０は入力された伝送ストリームのうち特定のプログラムを逆多重化してオーディオ／ビデオデコーダ５４１、５４２によりオーディオ／ビデオ出力部５５１、５５２に各々出力する（ｓ６１０）。
【００３７】
ここで、前記出力に関して例を挙げて説明すれば、図７に示されたように、宇宙往復船のディスクカバリ号の地球への帰還場面に対してオーディオ／ビデオデータをオーディオ／ビデオ出力部５５１、５５２を通して出力することになる。一方、前記オーディオ／ビデオデータの出力中、図８に示したように、画面の所定部に前記ディスカバリ号に対した付加情報が存在していることを示すアイコンが別に表記される。
【００３８】
一方、処理部５８０は視聴者からサービス要請部５６０を通して視聴中のプログラムに対するデータサービス要請が存在すれば、逆多重化部５２０により抽出されたプログラムに該当するデータカローセルによってデータサービスを行う（ｓ６２０、ｓ６３０）。
【００３９】
ここで、前記サービス要請とは、図８に示された前記画面にディスカバリ号に対した付加情報の存在有無を示すアイコンが視聴者により選択されたことを意味し、前記アイコンが視聴者により選択されることによって前記ディスカバリ号に対した付加情報（例えば、寸法、製作過程等）がブラウザーにより検索された後、図９に示されたように、画面の一部に詳しく表示される。
【００４０】
この際、処理部５８０はデータサービスを行う間視聴者の要請によりデータカローセルの変更が発生した場合、実行中のデータサービスを行い続けるために変更前のデータカローセルの要否を判断する（ｓ６４０、ｓ６５０）。
ここで、変更前のデータカローセルの要否を判断することは視聴者がディスカバリ号に対する付加情報を見た後、以前のメイン画面のディスカバリ号の地球への帰還場面に連続するデータを続けて視聴可能にオーディオ/ビデオデータを再受信しようという信号が入力されたかを判断するということである。
【００４１】
望ましくは、データカローセルの変更はプログラム変更要請により発生しうる。
判断の結果、変更前のデータカローセルがさらに要求されない場合、変更されたデータカローセルを収集する（ｓ６５１）。即ち、逆多重化部５２０により変更されたプログラムに対する逆多重化を行った後、抽出されたデータカローセルをサービスデータバッファ５３３に貯蔵する。
【００４２】
これは前記付加情報に対する内容が更新される場合に該当データを視聴者に提供し続けるための動作である。
ｓ６５０における判断の結果、実行中のデータサービスを行いつづけるために変更前のデータカローセルが要求される場合、処理部５８０は変更前のデータカローセルに設定された処理方式によってサービス変更要請とデータカローセル有効区間との不一致によって発生するエラーを処理する（ｓ６６０）。
【００４３】
ここで、変更前のデータカローセルが要求される場合とは、オーディオ／ビデオデータを再受信しようとする信号が入力される場合であるが、これは図１０に示されたように、ディスカバリ号が着陸した後、ディスカバリ号に搭乗した操縦士のうち“ゾーングラム(Jone Glam)”という人に対するオーディオ／ビデオデータが受信されて画面にディスプレーされることを視聴者が視聴し続けたがる場合である。
【００４４】
この際、ブラウザーにより検索された後表示されたデータは画面から除去され、元の画面に復帰することになる。
望ましく、データカローセルにデータカローセル有効区間不一致エラーに対する処理方式を設定する方法はデータサービスに関連したテーブルにデスクリプタを追加したり、ＳＤＴの既存デスクリプタを拡張して提供しうる。
【００４５】
処理部５８０により変更前のデータカローセルに設定された処理方式によってサービス変更要請とデータカローセル有効区間不一致を処理する過程を詳しく説明すれば次の通りである。
即ち、ブラウザーにより検索されて表示されるデータを画面から除去する方法は視聴者が既定の方式によって別に行われる。
【００４６】
まず、データカローセル有効区間不一致処理方式が自動消滅の場合、実行中のデータサービスを自動終了する（ｓ６６１）。つまり、ブラウザーにより検索されて表示されるデータの伝送が完了した場合、ブラウザーの動作を自動で終了するということである。
一方、処理方式が通知及び消滅の場合、実行中のデータサービスが変更されたデータカローセルを行うためのデータサービスに変更されることを視聴者に知らせ、実行中のデータカローセルに対したデータサービスを終了する（ｓ６６２、ｓ６６３）。つまり、ブラウザーにより検索されて表示されるデータの伝送が完了した場合、ブラウザーの動作が停止されることを視聴者に予め通報した後、既定の一定時間経過後にブラウザーの動作が終了するということである。
【００４７】
もし、処理方式がバッファサービスの場合、サービスデータバッファ５３３に予め貯蔵しておいたデータサービス中のデータカローセルの存否を判断する（ｓ６６４）。
判断の結果、サービスデータバッファ５３３に予め貯蔵して置いたデータサービス中のデータカローセルが存在する場合、これを通してデータサービスを行ない続ける（ｓ６６５）。
【００４８】
判断の結果、サービスデータバッファ５３３に予め貯蔵して置いたデータサービス中のデータカローセルが存在しない場合には視聴者に実行中のデータサービス変更を知らせ、視聴者の選択を通してデータサービスを終了する（ｓ６６６、ｓ６６７）。
ここで、処理部５８０で行われる不一致処理方式の制御は、サービス要請部５６０でオプションとして提供する３つの処理方法のうち視聴者によって選択された方式によって行ったり、SDTに既定の情報によって行う。
【００４９】
【発明の効果】
前述したように、本発明によればデータカローセル方式でデータをブロードキャスティングしてデータサービスするデジタル放送システムにおいて、データサービス要請時点とデータカローセルの有効区間との不一致の処理をデータサービス提供者が既定のデータカローセルの性格に応じて視聴者に多様に提供する効果がある。
以上、本発明の望ましい実施形態について詳しく説明したが、本発明に属する技術分野において当業者なら、特許請求の範囲に定義された本発明の思想及び範囲を外れずに本発明を多様に変形または変更実施可能なのが分かる。
【図面の簡単な説明】
【図１】  デジタル放送受信器が放送局からプログラムＡとデータカローセル方式によってプログラムＡに関連したデータを受信することを例示する。
【図２】  プログラムＡからプログラムＢへの変更時にプログラムＡ及びプログラムＢに関連したデータを受信することを例示する。
【図３】  本発明の伝送方式として用いられるMPEG-２ TSの伝送ストリームのシンタックスと、その構成要素のTSパケットのシンタックスを示す。
【図４】  放送局Ａ、放送局Ｂ、そして放送局Ｃから伝えられる伝送ストリームを例示する。
【図５】  本発明に係るデジタル受信装置の構成を示すブロック図である。
【図６】  本発明に係るデータ処理方法を示す流れ図である。
【図７】  本発明に係るデータ処理方法を図式的に示す図面である。
【図８】  本発明に係るデータ処理方法を図式的に示す図面である。
【図９】  本発明に係るデータ処理方法を図式的に示す図面である。
【図１０】  本発明に係るデータ処理方法を図式的に示す図面である。
【符号の説明】
５００   チャンネル選択部
５１０   チューナー
５２０   逆多重化器
５３１   オーディオバッファ
５３２   ビデオバッファ
５３３   サービスデータバッファ
５４１   オーディオデコーダ
５４２   ビデオデコーダ
５４３   データ出力制御部
５５１   オーディオ出力部
５５２   ビデオ出力部
５６０   サービス要請部
５７０   プログラム変更要請部
５８０   処理部
【図１】
0003868714.tif 000002
【図２】
0003868714.tif 000003
【図３】
0003868714.tif 000004
【図４】
0003868714.tif 000005
【図５】
0003868714.tif 000006
【図６】
0003868714.tif 000007
【図７】
0003868714.tif 000008
【図８】
0003868714.tif 000009
【図９】
0003868714.tif 000010
【図１０】
0003868714.tif 000011